(57)【要約】【課題】  従来技術では、寝たままの状態でトランクス型おむつを着用するのには依然困難があるので、寝たままの状態においても、トランクス型おむつの着脱を容易にする。【解決手段】  前身頃２、後身頃３、股下部７、腰開口部１１及び２つの脚開口部１２を構成し、全体に弾性体５が取着され、股下部７に吸収体６及び立体ギャザー８を備えたトランクス型おむつである。前身頃２と後身頃３の上方の左右両縁２ａ１、３ａ１を互に接合し（接合部４）、それより下方の前身頃２と後身頃３の左右両縁２ａ２、３ａ２を開き（側面開口部８）、そのいずれか一方の左右縁２ａ２又は３ａ２に止着片９が取付けられ、その先端に止着部１０を備える。止着部１０を左右縁２ａ２又は３ａ２から外して側面開口部８をなし、おむつ１を装着し、その後止着部１０を左右縁２ａ２又は３ａ２に止着して側面開口部８を閉じることで、トランクス型おむつ１を身体にフィットさせる。【選択図】  図４
0003131265.tif 000002
【実用新案登録請求の範囲】
【請求項１】
前身頃（２）、後身頃（３）及び股下部（７）を構成し、腰開口部（１１）と２つの脚開口部（１２）を画成し、本体全体に渡って弾性体（５）が胴回りに取着され、上記前身頃（２）から股下部（７）を通って後身頃（３）に渡って吸収体（６）、立体ギャザーを備えているトランクス型おむつ（１）において、
上記前身頃（２）と後身頃（３）の上方の左右両縁（２ａ１、３ａ１）が互に接合され、その接合部分を接合部（４）と成し、
上記接合部（４）より下方である上記前身頃（２）と後身頃（３）の左右両縁（２ａ２、３ａ２）を互に開き、その開いた部分を側面開口部（８）と成し、
上記前身頃（２）又は後身頃（３）のいずれか一方の左右縁（２ａ２又は３ａ２）に止着片（９）が取り付けられ、
上記止着片（９）の先端には面ファスナー等の止着部（１０）を備え、
上記止着部（１０）を上記左右縁（２ａ２又は３ａ２）から外すことにより上記側面開口部（８）を画成し、トランクス型おむつ（１）を身体に装着した後に、上記止着部（１０）を上記左右縁（２ａ２又は３ａ２）に止着して、上記側面開口部（８）を閉じることを特徴とするトランクス型おむつ。
【考案の詳細な説明】
【技術分野】
【０００１】
本考案は、乳幼児、失禁者又は大人用のトランクス型の着用物品に関し、詳細には、トランクス型の使い捨ておむつに関する。
【背景技術】
【０００２】
従来より、乳幼児や失禁者等用の使い捨ておむつとして、展開されたおむつをテープファスナー等の固着手段を用いて固着することによって身体に装着するフラット型おむつや、伸縮自在な一対の脚開口部と腰開口部が形成され、パンツをはくようにして身体に装着するパンツ型おむつが用いられている。例えば、パンツ型おむつとしては、身体へのフィット性向上のために胴開口部、脚開口部や前身頃、後身頃に弾性材を用いた特許第３１７５９１２号公報などや、尿漏れ防止を目的として脚の被覆性を増した、トランクス型おむつの特開２０００−９３４６１公報や特開２００６−２３０９２０公報などがある。
【０００３】
パンツ型（又はトランクス型）おむつは、立位状態で身体への着脱が可能である一方、おむつをはく必要があるため、寝たままの状態においては、着脱がフラット型おむつに比べて難しく中々身体に装着されない場合がある。特に着用者が、自由に起伏できないような要介護者等である場合、そのような困難が大きい。この点、着脱の容易化を目的として、おむつの側面の幅を調節できるようにした特許第３３１３８０９号公報と特開２００２−３３６３０２公報のような発明がある。
【０００４】
【特許文献１】特許第３１７５９１２号公報
【特許文献２】特開２０００−９３４６１公報
【特許文献３】特開２００６−２３０９２０公報
【特許文献４】特許第３３１３８０９号公報
【特許文献５】特開２００２−３３６３０２公報
【考案の開示】
【考案が解決しようとする課題】
【０００５】
しかし、特許第３３１３８０９号公報や特開２００２−３３６３０２公報記載のおむつでは、おむつを履き易くするためにおむつが大きめに作られ、そのおむつのだぶつきを調節できるように両側面に接合帯又はテープを設けているが、腰の側面部分全体に調節機能等のある接合帯を設けているので、股下から太ももの一部まで包み込むトランクス型おむつについては、寝たままの状態で脚開口部に足を入れておむつを着用する場合、依然としてフラット型おむつに比べて困難を生ずる。
【０００６】
従って、本考案の目的は、寝たままの状態においても、トランクス型おむつの着脱を容易にすることである。即ち、着用時においては、止着部をおむつの前身頃から外し、脚開口部を広げることによって、着用者が脚を入れることを容易にし、着用者が履いた後では、止着部をおむつの前身頃に止着することによって、脚開口部を身体にフィットさせ、尿等の漏れを防止すると共に、着用者に好適な装着感を与えることと、脱用時には、止着部をおむつの前身頃から外し、脚開口部を広げることによって、着用者が脚を抜くのを容易にすることを目的とする。
【課題を解決するための手段】
【０００７】
以上の課題を解決するために、請求項１記載の考案は、前身頃、後身頃及び股下部を構成し、腰開口部と２つの脚開口部を画成し、本体全体に渡って弾性体が胴回りに取着され、上記前身頃から股下部を通って後身頃に渡って吸収体、立体ギャザーを備えているトランクス型おむつにおいて、上記前身頃と後身頃の上方の左右両縁が互に接合され、その接合部分を接合部と成し、上記接合部より下方である上記前身頃と後身頃の左右両縁を互に開き、その開いた部分を側面開口部と成し、上記前身頃又は後身頃のいずれか一方の左右縁に止着片が取り付けられ、上記止着片の先端には面ファスナー等の止着部を備え、上記止着部を上記左右縁から外すことにより上記側面開口部を画成し、トランクス型おむつを身体に装着した後に、上記止着部を上記左右縁に止着して、上記側面開口部を閉じることを特徴とする。
【考案の効果】
【０００８】
上記解決手段によって、着用時においては、止着部をおむつの前身頃から外し、脚開口部を広げることによって、着用者が足を入れることを容易にし、着用者が履いた後では、止着部をおむつの前身頃に止着することによって、脚開口部を身体にフィットさせ、尿等の漏れを防止すると共に着用者に好適な装着感を与えるという効果が生じる。また、脱用時には、止着部をおむつの前身頃から外し、脚開口部を広げることによって、着用者が脚を抜くのを容易にするという効果が生じる。
【考案を実施するための最良の形態】
【０００９】
以下において、本考案に係るトランクス型おむつの好適な実施例を説明する。
【実施例】
【００１０】
トランクス型おむつ１は、防水性材からなるおむつ本体を二つ折りにして前身頃２、後身頃３及び股下部７を形成し、前身頃２及び後身頃３それぞれの左右縁の上方部分２ａ１、３ａ１を互に合掌状に重ね、超音波接合又は熱溶着或いは縫付により接合して、接合部４を形成する。但し、左右縁を上から下まで全体に渡って接合するのではなく、図３に示されているように、左右縁全体の内、上端から半分程度下方へ下ったところまでの２ａ１、３ａ１を接合し、接合部４を形成する。即ち、接合部４の下方の左右縁２ａ２、３ａ２は、開かれていて、側面開口部８は、その開かれている部分を示している。
【００１１】
上記トランクス型おむつ１の肌接触面である表面部（図示せず）には、周知の通り、吸収紙、綿状パルプ、高分子給水材などの組み合わせで構成される吸収体６が取り付けられ、不織布などが使用される表面材（図示せず）によって覆われる。その吸収体の側縁には、不織布と弾性材からなる立体ギャザー（図示せず）が取り付けられ、尿等の漏れを防止する。
【００１２】
トランクス型おむつ１には、図１及び図２等に示すように、糸ゴム等の弾性体５が、トランクス型おむつ１が伸縮して身体へのフィット性を高め、尿等の漏れを防止するため、腰開口部１１に複数本、その他の前身頃２及び後身頃３にそれぞれ複数本、胴回りに取着され、開口部１２と股下部７に複数本、脚回りと股下に取着される。勿論、このトランクス型おむつ１は一例であり、他の公知のトランクス型おむつにも適用できる。
【００１３】
上記接合部４を除く、後身頃３の左右両縁の下方部分（非接合部分）３ａ２には、Ｔ字状の止着片９が熱溶着或いは縫付又は超音波接合により取り付けられ、その止着片９の先端には、面ファスナー等である止着部１０が取り付けられている。勿論、この止着片９は、Ｔ字状の他、任意の形状でもよいし、止着部１０は、面ファスナーに代えてボタンやホック等でもよい。
【００１４】
次に、このトランクス型おむつ１を身体に装着する過程を、図面に従って説明する。まず、図１及び図２は、トランクス型おむつ１を身体に装着する前の状態を示している。トランクス型おむつ１に取着された弾性体５により縮んでいる。図３は、トランクス型おむつ１を履いて、身体に合わせたが、止着部１０を前身頃２の左右両縁２ａ２に止着してはいない状態を示している。止着部１０を止着していないために、トランクス型おむつ１の左側面が、接合部４を除いて開くことなり、開いた部分である側面開口部８が、接合部４の最下端から、前身頃の下方の左縁２ａ２と後身頃の下方の左縁３ａ２を辺とした三角状に広がる。このような状態であるので、おむつ１を履いて脚を脚開口部１２に通すのが容易となる。このことは、トランクス型おむつ１の右側面でも同様である。
【００１５】
続いて、図４は、トランクス型おむつ１を履いて、身体に合わせて、側面開口部８の前身頃の左縁２ａ２と側面開口部８の後身頃の左縁３ａ２を互に向けて引っ張り寄せ、止着部１０を前身頃２の下方の左縁２ａ２に止着した状態を示したトランクス型おむつ１の左側面である。図３において開いていた部分である側面開口部８が閉じられ、身体に装着される。このことにより、身体へのフィット性向上と尿等の漏れ防止のために弾性体５を取着して伸縮性を有するトランクス型おむつ１のフィット性が保たれる。以上のことは、トランクス型おむつ１の右側面でも同様である。図５及び図６は、トランクス型おむつ１に脚を通して履いて、身体に合わせ、止着部１０を前身頃２の左右縁２ａ２、３ａ２に止着して、完全に身体に装着した状態を示している。
【図面の簡単な説明】
【００１６】
【図１】本考案の実施例における、身体装着前のトランクス型おむつの正面図。
【図２】本考案の実施例における、身体装着前のトランクス型おむつの背面図。
【図３】本考案の実施例における、身体に装着したが、止着部を止着していないトランクス型おむつの左側面図。
【図４】本考案の実施例における、身体装着後のトランクス型おむつの左側面図。
【図５】本考案の実施例における、身体装着後のトランクス型おむつの正面図。
【図６】本考案の実施例における、身体装着後のトランクス型おむつの背面図。
【符号の説明】
【００１７】
１      トランクス型おむつ
２      前身頃
２ａ１  上方の前身頃の左（右）縁
２ａ２  下方の前身頃の左（右）縁
３      後身頃
３ａ１  上方の後身頃の左（右）縁
３ａ２  下方の後身頃の左（右）縁
４      接合部
５      弾性体
６      吸収体
７      股下部
８      側面開口部
９      止着片
１０    止着部
１１    腰開口部
１２    脚開口部
【図１】
0003131265.tif 000003
【図２】
0003131265.tif 000004
【図３】
0003131265.tif 000005
【図４】
0003131265.tif 000006
【図５】
0003131265.tif 000007
【図６】
0003131265.tif 000008